(57)【特許請求の範囲】
【請求項１】
運転席用サンバイザと助手席用サンバイザとの間に設けられたルームミラーにおいて、下部に操作つまみ３０を設けると共に上部に左右にピン３１、３１を備えた操作レバー２９と、この操作レバー２９の前記ピン３１、３１が夫々挿入されるスライド溝２８、２８が形成された各案内片２７、２７を備えて前記操作レバー２９の上昇移動時に前記各ピン３１、３１がそれぞれ前記各スライド溝２８、２８内を案内されて移動することでそれぞれ外側の斜め上方に移動して前記運転席用サンバイザとの隙間及び助手席用サンバイザとの隙間を遮光する各遮光板２４、２５と、この遮光板２４、２５及び前記操作レバー２９をその間に介在させた状態で移動可能に支持すると共にルームミラー本体の背面にその一方が取付けられる一対の支持部材とから構成したことを特徴とするルームミラー。
【請求項２】
前記ルームミラー本体の背面に取付けられた一方の支持部材に設けた支持ピン１９を前記操作レバー２９に開設した係合溝３３に嵌合させ、この係合溝３３には開口幅を狭める絞り部３４を形成して、前記操作レバー２９の上昇移動時に前記支持ピン１９が前記絞り部３４を超えると、この操作レバー２９がこの位置にロックされることを特徴とする請求項１に記載のルームミラー。
【発明の詳細な説明】
【０００１】
【発明の属する技術分野】
本発明は、自動車のルームミラーに関し、特に遮光板を取付けたルームミラーに関する。
【０００２】
【従来の技術】
従来、この種のルームミラーは運転席と助手席の前方上部に設けたサンバイザの間に設けており、サンバイザ使用時にはルームミラーとサンバイザ間の隙間から陽射しが差込み、運転しにくい問題があった。
【０００３】
そこで、実開昭５９−１８２４２１号公報に開示されているように、運転席用サンバイザ及び助手席用サンバイザ間の隙間を被う遮光板にミラーを設けたものが提案されている。
【０００４】
【発明が解決しようとする課題】
しかし、上記提案のものにおいてはルームミラーでの視認範囲と遮光板に設けたミラーでの視認範囲が微妙に異なるために、各々の使用時に調整が必要となり使用者にとって非常に煩わしく使いにくいものであった。
【０００５】
そこで本発明では、上記の点に鑑み、使い易く、前記運転席用サンバイザ及び助手席用サンバイザとの間の陽射しを遮光できる遮光板付きのルームミラーを提供することを目的とする。
【０００６】
【課題を解決するための手段】
このため第１の発明は、運転席用サンバイザと助手席用サンバイザとの間に設けられたルームミラーにおいて、下部に操作つまみ３０を設けると共に上部に左右にピン３１、３１を備えた操作レバー２９と、この操作レバー２９の前記ピン３１、３１が夫々挿入されるスライド溝２８、２８が形成された各案内片２７、２７を備えて前記操作レバー２９の上昇移動時に前記各ピン３１、３１がそれぞれ前記各スライド溝２８、２８内を案内されて移動することでそれぞれ外側の斜め上方に移動して前記運転席用サンバイザとの隙間及び助手席用サンバイザとの隙間を遮光する各遮光板２４、２５と、この遮光板２４、２５及び前記操作レバー２９をその間に介在させた状態で移動可能に支持すると共にルームミラー本体の背面にその一方が取付けられる一対の支持部材とから構成したことを特徴とする。
【０００７】
また第２の発明は、第１の発明において、前記ルームミラー本体の背面に取付けられた一方の支持部材に設けた支持ピン１９を前記操作レバー２９に開設した係合溝３３に嵌合させ、この係合溝３３には開口幅を狭める絞り部３４を形成して、前記操作レバー２９の上昇移動時に前記支持ピン１９が前記絞り部３４を超えると、この操作レバー２９がこの位置にロックされることを特徴とする。
【０００８】
さらに第３の発明は、前記ルームミラー本体の背面に取付けられた一方の支持部材に設けた支持ピン１９を前記操作レバー２９に開設した係合溝３３に嵌合させ、この係合溝３３には開口幅を狭める絞り部３４を形成して、前記操作レバー２９の上昇移動時に前記支持ピン１９が前記絞り部３４を超えると、この操作レバー２９がこの位置にロックされることを特徴とする。
【００１０】
【発明の実施の形態】
以下図１乃至図６に基づき、本発明の実施の形態について説明する。先ず、図１及び図２は遮光板を設けたルームミラーまわりを示す図で、乗用車のフロントガラス１より上に位置する車内天井面の左右には、運転席用サンバイザ２と助手席用サンバイザ３が各々支持具４によって回動自在に軸支されており、両サンバイザ２、３の間には後方を確認するためのルームミラー５を取付部６を介して車内天井面に固定している。
【００１１】
前記ルームミラー５はステー７端部の取付部６を天井に固定すると共にミラー部の視認範囲を上下左右に調整可能なように可動部８を設けている。また、前記サンバイザ２、３は使用時に下方に回動させた際ルームミラー５と接触しないように切欠部９を設けている。
【００１２】
図３は後述の遮光板を設けた前記ルームミラー５の分解斜視図を示し、１０は合成樹脂材料にて外形をほぼルームミラー５と同じ寸法に形成した平面視矩形状の第１の支持部材としての支持板で、一面側に断面がクランク形状をした取付アングル１１を２個設けており、その取付部１２にはルームミラー５に固定するためのビス孔１３を開設している。また、支持板１０の他面側は、大径部１６と小径部１７からなる円筒状の４個の支持ピン１８と１個の支持ピン１９が一体に突設されると共に下端中央部適所には支持片２０とガイド片２１とから成る断面形状がほぼＬ字形状の一対のガイド２２が一体に突設される。また、前記各ガイド片２１は所定間隔をもって対向すると共に、前記各支持片２０の外端部には円筒状の固定ピン２３が各々２個づつ所定間隔を存して一体に突設されている。
【００１３】
尚、前記ルームミラー５の裏面には、前記両取付アングル１１の各ビス孔１３と合致する位置に各止着孔１４が開設されている。
【００１４】
２４、２５は合成樹脂材料にて平面視略三角形状を呈して左右対称に形成された左右の遮光板で、その平面部適所には前記支持ピン１８の大径部１６よりやや大きめの寸法に設定した長孔形状の案内溝２６、２６がそれぞれ平行に開設されている。即ち、左右の遮光板２４、２５には、それぞれ平行な案内溝２６、２６が各々左右の側部上方に向けて形成されている。また、その遮光板２４、２５の斜辺部分には、その板厚分の空間を形成するように表面と裏面に対向して案内片２７が一体形成されており、その長手方向にスライド溝２８が設けられている。
【００１５】
２９は合成樹脂材料にて形成した平面視略Ｔ字状をした操作レバーで、下部には指での操作性を考慮して摘みやすい形状とした操作つまみ３０を形成すると共に上部左右の両側には表面及び裏面に前記スライド溝２８内に移動自在に係合する円筒状のピン３１、３１をそれぞれ形成している。また、操作レバー２９の垂下部３２適所には前記支持ピン１９の大径部１６が移動自在な係合溝３３を設け、この係合溝３３の下部は操作レバー２９を最上位置に移動させた時にその位置で固定してロックできるように開口幅を狭める絞り部３４を形成し、前記操作レバー２９が上昇して前記支持ピン１９が絞り部３４を超えたときにロックできるように形成されている。
【００１６】
３５は合成樹脂材料にて形成した矩形状の第２の支持部材としての支持板で、前記支持ピン１８、１９の小径部１７を圧入して固定するための５個の第１圧入孔３６及びガイド２２の固定ピン２３を圧入固定するための４個の第２圧入孔３７が各々開設している。
【００１７】
本発明の構成は上記の通りであり、以下その組立て方法について説明する。先ず、図６に示すように操作レバー２９の表面及び裏面にある各々のピン３１を遮光板２４、２５のスライド溝２８内に嵌合する。そして、遮光板２４、２５の案内溝２６に支持ピン１８の大径部１６を挿入装着すると共に操作レバー２９の係合溝３３内に支持ピン１９の大径部１６を挿入して装着する。この時、操作レバー２９の垂下部３２は左右のガイド片２１間に位置させる。この状態で、支持板３５の第１圧入孔３６及び第２圧入孔３７に支持ピン１８、１９の小径部１７及びガイド２２の固定ピン２３を各々圧入して装着することで支持板１０と支持板３５とをその間に左右の遮光板２４、２５及び操作レバー２９を介在させた状態で固定する。
【００１８】
そして、前記支持板１０の取付部１２のビス孔１３をルームミラー５の背面に設けた止着孔１４に合致させて、ビス１５にて固定し、ルームミラー５を取付部６を介して車内天井面に固定することで車内への取付けが完了する。
【００１９】
次に、上記構成による動作について、特に図４及び図５に基づいて説明する。図４は遮光板２４、２５の未使用時の収納状態を示す図で、操作レバー２９はその垂下部３２がガイド２２、２２のガイド片２１、２１間に配置していることで左右への揺動が防止され、上下方向にのみ操作できるようになっている。この操作レバー２９を下方に下げている状態では、支持ピン１９が係合溝３３の上端に当接することで最下位置となる。この時、各ピン３１もスライド溝２８内の下方位置にあるため左右の遮光板２４、２５も各案内溝２６の上端に各支持ピン１８が当接した状態の低い位置にある。この状態では、ルームミラー５の背面に遮光板２４、２５が収納されているため、運転者からはミラー部しか見えない状態となっている。
【００２０】
次に、遮光板２４、２５使用時について、図５に基づき説明する。操作つまみ３０を上方に持上げることで操作レバー２９はその垂下部３２がガイド２２、２２のガイド片２１、２１間を上方向に移動し、各ピン３１が各スライド溝２８内を上方に移動することにより、遮光板２４、２５の各案内溝２６が支持ピン１８に案内されながら、該遮光板２４、２５が夫々斜め上方に移動する。即ち、左の遮光板２４は案内溝２６の角度である左斜め上方である略３１５度の方向に移動し、右の遮光板２５は案内溝２６の角度である右斜め上方である略４５度の方向に移動して、ルームミラー５の上方及び左右方向に遮光板２４、２５が出現して陽射しを遮光する。従って、ルームミラー５と車内天井面との間、及び該ルームミラー５と下方に回動した状態の各サンバイザ２、３との間を塞ぎ、陽射しを遮光する。
【００２１】
また、操作レバー２９の係合溝３３を形成する絞り部３４より下方に支持ピン１９の大径部１６が移動した時点で、操作レバー２９はこの位置にロックされ、この時のサンバイザ２、３と遮光板２４、２５との併用状態は図２に示す通りであり、以上のように遮光板２４、２５を使用することでサンバイザ２、３とルームミラー５との隙間（上方及び側方）を遮光することができる。
【００２２】
本発明は、上述の通りであり、ルームミラー５の背面に上方及び側方に出没する遮光板を２４、２５を設け、該遮光板２４、２５は操作レバー２９の操作により前記運転席用サンバイザ２及び助手席用サンバイザ３とルームミラー５との間の陽射しを遮光するように構成したので、遮光時には非常に運転がし易くなると共に遮光が不要な時には前記遮光板２４、２５をルームミラー５の背部に収納することで運転時の視界の邪魔にならないので、運転し易く美観的にも優れている。また、従来のように遮光時に別個のミラーを使用することで視認範囲等の微調整等を行う必要が無く、ルームミラーの視認範囲に影響を与えることのない、非常に使い易い遮光板付きのルームミラーを提供することができる。
【００２３】
また、下部に操作つまみ３０を設けると共に上部にピン３１を形成した操作レバー２９と、該操作レバー２９の移動を案内するガイド２２と、該ガイド２２により案内されたレバー２９の移動時に前記ピン３１がスライド溝２８内を移動することでルームミラー５の上方及び側方に出没する遮光板２４、２５と、該遮光板２４、２５を支持すると共にルームミラー５の背面に取付けるための支持部材１０とから構成したので、簡単な構成により遮光板２４、２５を使用したり収納したりすることができ、非常に使い易い遮光板付きのルームミラーを提供することができる。
【００２４】
さらに、左右２枚の遮光板２４、２５で構成したので、各々が斜め上方に移動することが可能となり、上方及び側方の遮光を可能とすることができる。また、左右２枚に分割したことにより、未使用時にはルームミラー５の背部に収納できるので美観が良く、違和感の無い運転を行うことができる。
【００２５】
また、遮光板２４、２５はルームミラー５の左右の斜め上方にスライドするようにしたので、ルームミラー５の上方と側方を同時に遮光することができ、運転席用サンバイザ２及び助手席用サンバイザ３とルームミラー５との間の陽射しを遮光できる。
【００２６】
以上本発明の実施形態について説明したが、上述の説明に基づいて当業者にとって種々の代替例、修正又は変形が可能であり、本発明はその趣旨を逸脱しない範囲で前述の種々の代替例、修正又は変形を包含するものである。
【００２７】
【発明の効果】
以上説明したように本発明は、使い易く、前記運転席用サンバイザ及び助手席用サンバイザとの間の陽射しを遮光できる遮光板付きのルームミラーを提供することができる。
【図面の簡単な説明】
【図１】遮光板を収納時のルームミラーまわりの説明図である。
【図２】遮光板を使用時のルームミラーまわりの説明図である。
【図３】遮光板付きルームミラーの分解斜視図である。
【図４】支持板を外した遮光板の収納時の背面図である。
【図５】支持板を外した遮光板の使用時の背面図である。
【図６】操作レバーと遮光板との接続を説明する図である。
【符号の説明】
２              運転席用サンバイザ
３              助手席用サンバイザ
５              ルームミラー
１０            支持板
１８、１９      支持ピン
２２            ガイド
２４、２５      遮光板
２６            案内孔
２８            スライド溝
２９            操作レバー
３０            操作つまみ
３１            ピン
３３            係合溝
３５            支持板
【図１】
0004191424.tif 000002
【図２】
0004191424.tif 000003
【図３】
0004191424.tif 000004
【図４】
0004191424.tif 000005
【図５】
0004191424.tif 000006
【図６】
0004191424.tif 000007